(57)【要約】 【課題】      回路基板間の通信を安価にかつ簡単に行うことができる回路基板ユニットを提供すること。【解決手段】  本発明の回路基板ユニット１は、信号入力部３０と信号出力部３１とを備えた通信手段３が表面にもうけられた二枚の同じ回路基板２０，２１を、表面２０ａ，２１ａ同士が対向した状態で有する回路基板ユニット１であって、一方の回路基板２０に形成された信号入力部３０が他方の回路基板２１にもうけられた信号出力部３１と対向した位置にもうけられ、一方の回路基板２０に形成された信号出力部３１が他方の回路基板２１にもうけられた信号入力部３０と対向した位置にもうけられていることを特徴とする。【選択図】  図１
2009117682.tif 000002
【特許請求の範囲】
【請求項１】
信号入力部と信号出力部とを備えた通信手段が表面にもうけられた二枚の同じ回路基板を、表面同士が対向した状態で有する回路基板ユニットであって、
一方の該回路基板に形成された該信号入力部が他方の該回路基板にもうけられた該信号出力部と対向した位置にもうけられ、一方の該回路基板に形成された該信号出力部が他方の該回路基板にもうけられた該信号入力部と対向した位置にもうけられていることを特徴とする回路基板ユニット。
【請求項２】
前記信号入力部と前記信号出力部は、前記回路基板の重心あるいは中心線に対して対称な位置にもうけられている請求項１記載の回路基板ユニット。
【請求項３】
前記回路基板は、前記信号入力部と前記信号出力部の対称中心に、同期信号を通信する同期信号通信部がもうけられた請求項２記載の回路基板ユニット。
【発明の詳細な説明】
【技術分野】
【０００１】
本発明は、少なくとも二枚の同じ回路基板を対向した状態で有する回路基板ユニットに関する。
【背景技術】
【０００２】
ハイブリッド車や燃料電池車などの電動車両には、多数の高電圧電池が搭載されている。そして、これらの電動車両には、高電圧電池の電圧などを監視するための監視ユニットが存在する。車両に搭載された高電圧電池は多数であり、ひとつの監視ユニットで複数の高電圧電池を監視する必要がある。
【０００３】
そして、監視ユニットには、高電圧電池の電圧等を検知するためのセンサからの信号が入力される外部通信端子が組み付けられた回路基板を備えている。監視ユニットは多数の高電圧電池を監視しており、ひとつの監視ユニット内に複数の回路基板を有している。この複数の回路基板同士は、相互に通信を行っている。回路基板同士の通信は、複数本（２〜３本）の通信線を用いてなされている。通信線が二本の場合には、回路基板に入力される入力信号が流れる入力信号通信線と、別の回路基板に向けて出力される出力信号が流れる出力信号通信線と、からなる。三本の場合には、さらに、同期信号が流れる同期信号通信線が追加される。
【０００４】
従来の監視ユニットでは、回路基板の通信線が接続される通信部の位置が決まっており、監視ユニット同士の通信を安価で簡単に行うことができなかった。具体的には、通信線がクロスしたワイヤハーネスを使用したり、通信線が接続される通信部の配置が異なる回路基板を準備する必要があった。
【０００５】
また、近年では、監視ユニットだけでなく、さまざまな制御用ユニットも車両に搭載されるようになってきている。たとえば、特許文献１に記載のインバータ装置がある。これらのユニットにおいては、複数枚の回路基板が搭載されており、それぞれの回路基板間での通信がなされている。この回路基板間の通信も、上記の監視ユニット間での通信と同様に、回路基板同士の通信を安価で簡単に行うことができなかった。
【特許文献１】特開平６−３１１７６０号公報
【発明の開示】
【発明が解決しようとする課題】
【０００６】
本発明は上記実状に鑑みてなされたものであり、回路基板間の通信を安価にかつ簡単に行うことができる回路基板ユニットを提供することを課題とする。
【課題を解決するための手段】
【０００７】
上記課題を解決するために、本発明者は通信線で接続される二枚の回路基板の通信線が接続される通信部の配置について検討を重ねた結果、本発明をなすに至った。
【０００８】
すなわち、請求項１に記載の本発明の回路基板ユニットは、信号入力部と信号出力部とを備えた通信手段が表面にもうけられた二枚の同じ回路基板を、表面同士が対向した状態で有する回路基板ユニットであって、一方の回路基板に形成された信号入力部が他方の回路基板にもうけられた信号出力部と対向した位置にもうけられ、一方の回路基板に形成された信号出力部が他方の回路基板にもうけられた信号入力部と対向した位置にもうけられていることを特徴とする。
【０００９】
請求項２に記載の本発明の回路基板ユニットは、請求項１に記載の回路基板ユニットにおいて、信号入力部と信号出力部は、回路基板の重心あるいは中心線に対して対称な位置にもうけられていることを特徴とする。
【００１０】
請求項３に記載の本発明の回路基板ユニットは、請求項２に記載の回路基板ユニットにおいて、回路基板は、信号入力部と信号出力部の対称中心に、同期信号を通信する同期信号通信部がもうけられたことを特徴とする。
【発明の効果】
【００１１】
請求項１に記載の本発明の回路基板ユニットは、対向して配置された二枚の同じ回路基板の信号入力部と信号出力部とがお互いに対向するようにもうけられている。このような構成となることで、それぞれの入力部と出力部を接続する通信線をクロスさせる必要がなくなり、安価なストレートワイヤを用いることができる。さらに、二枚の同じ回路基板を使用することができるので、回路基板を共用化することができ、より安価に回路基板ユニットを形成できる。このように、本発明の回路基板ユニットは、回路基板間の通信線配置を工夫して安価にかつ簡単に行うことができる。
【００１２】
請求項２に記載の回路基板ユニットは、信号入力部と信号出力部が回路基板の対称中心に対して対称な位置にもうけられている。このため、二枚の回路基板をその対称中心が対向した状態で配置することで、お互いの信号入力部と信号出力部とが対向するようになる。
【００１３】
請求項３に記載の回路基板ユニットは、対称中心にさらに同期信号を通信する同期信号通信部がもうけられており、回路基板同士の通信を同期させることができ、通信される信号の信頼性が向上する。
【発明を実施するための最良の形態】
【００１４】
以下、本発明を実施の形態を用いて具体的に説明する。
【００１５】
（第一の実施の形態）
本実施形態の回路基板ユニット１は、図１〜２に示したように、２枚の回路基板２（２０，２１）と、回路基板２にもうけられた信号入力部３０，信号出力部３１，同期信号通信部３２を有する通信手段３と、回路基板２にもうけられた通信手段３同士を接続する通信線４（４０，４１，４２）と、回路基板２にもうけられた外部通信端子５と、を有している。図１は本実施形態の回路基板ユニット１の通信手段３側からの斜視図であり、図２は回路基板ユニット１の外部通信端子５側からの斜視図である。また、図３に回路基板２（２０）の構成を上面図で示した。
【００１６】
回路基板２は、その表面および／または裏面に電気回路および回路素子（図示せず）が形成された回路基板である。本実施形態で用いられる２枚の回路基板２０，２１は、同じ回路基板である。回路基板２は、方形状の外周形状を有する。
【００１７】
通信手段３は、回路基板２の表面にもうけられ、別の回路基板２との通信を行う手段である。通信手段３は、信号入力部３０，信号出力部３１，同期信号通信部３２を有する。
【００１８】
通信手段３を構成する信号入力部３０は、通信手段３がもうけられた回路基板２に別の回路基板からの信号が入力する部位（部材）であり、信号出力部３１は別の回路基板への信号が発信される部位（部材）である。信号入力部３０は別の回路基板の信号出力部３１と接続される。また、同期信号通信部３２は、信号入力部３０と信号出力部３１を介して通信される信号を同期するための同期信号が流れる部位（部材）である。本実施形態においては、通信手段３を構成する信号入力部３０，信号出力部３１，同期信号通信部３２はそれぞれ別体（のコネクタ）をなしているが、通信手段３が一体（のコネクタ）をなしていてもよい。
【００１９】
通信線４は、通信手段３同士を接続し、信号を通信する部材である。通信線４は、回路基板２０の信号入力部３０と回路基板２１の信号出力部３１とを接続する通信線４０と、回路基板２０の信号出力部３１と回路基板２１の信号入力部３０とを接続する通信線４１と、同期信号通信部３２同士を接続する通信線４２と、を有する。通信線４は、通信手段３を接続し、信号を通信できる部材であれば特に限定されるものではない。本実施形態においては、それぞれの通信部を接続する導線よりなるが、ストレートタイプのフラットワイヤを用いてもよい。さらに、フラットワイヤは、数本を一組として使用することで、部品点数の削減および組み付け性の向上に効果を発揮する。
【００２０】
外部通信端子５は、回路基板２にもうけられた電気回路に接続され、外部の素子との通信を行うための端子である。外部の素子とは、図示されない通信線で接続される。
【００２１】
本実施形態において、通信手段３と外部通信端子５とは、方形状の回路基板２の互いに背向する辺の端縁部近傍にもうけられている。通信手段３は、回路基板２の辺の長さの中心部に同期信号通信部３２が、同期信号通信部３２に対して対称な位置に信号入力部３０と信号出力部３１とがもうけられている。また、外部通信端子５は、回路基板２の辺の長さの中心からずれた位置にもうけられている。
【００２２】
本実施形態の回路基板ユニット１は、回路基板２０の表面２０ａと回路基板２１の表面２１ａとが小間隔を隔てた状態で対向して配置される。このとき、それぞれの回路基板２０，２１にもうけられた通信手段３同士が対向した状態となり、回路基板２０の信号入力部３０と回路基板２１の信号出力部３１とが対向し、回路基板２０の信号出力部３１と回路基板２１の信号入力部３０とが対向し、同期信号通信部３２同士が対向している。
【００２３】
本実施形態の回路基板ユニット１は、二枚の回路基板２０，２１が対向して配置されたときに、外部通信端子５同士は重なり合わないように配置されている。
【００２４】
本実施形態の回路基板ユニット１においては、回路基板２０，２１が同じ回路基板であることから、回路基板を共用化することができ、より安価に回路基板ユニットを形成できる。
【００２５】
また、本実施形態の回路基板ユニット１においては、回路基板２０，２１のそれぞれの通信手段３同士の通信を安価なストレートタイプのフラットワイヤを用いることができ、回路基板ユニット１全体のコストの上昇を抑えることができる。
【００２６】
さらに、本実施形態の回路基板ユニット１は、二枚の回路基板２０，２１の間に外部通信端子５が位置しており、回路基板２の厚さ方向での体格が粗大化することが抑えられた構成となっている。
【００２７】
上記したように、本実施形態の回路基板ユニット１は、安価にかつ簡単に構成でき、体格の粗大化が抑えられた回路基板ユニットとなっている。
【００２８】
（第二の実施の形態）
本実施形態は、図４〜５に示したように、通信手段３が同期信号通信部３２を有していない以外は、第一実施形態と同様な構成の回路基板ユニット１である。図４は本実施形態の回路基板ユニット１の通信手段３側からの斜視図であり、図５は回路基板２の構成を示した上面図である。
【００２９】
本実施形態は同期信号通信部３２を有していない以外は第一実施形態の時と同様な構成であり、第一実施形態の時と同様に、安価にかつ簡単に、体格の粗大化が抑えられた回路基板ユニットを構成できる効果を発揮する。
【００３０】
（第三の実施の形態）
本実施形態は、回路基板２が三枚である回路基板ユニット１である。
【００３１】
本実施形態の回路基板ユニット１は、図６に示したように、３枚の回路基板２（２０，２１，２２）と、回路基板２にもうけられた信号入力部３０，信号出力部３１，同期信号通信部３２を有する通信手段３と、回路基板２にもうけられた通信手段３同士を接続する通信線４（４０，４１，４２）と、回路基板２にもうけられた外部通信端子５と、を有している。
【００３２】
回路基板２は、その表面および／または裏面に電気回路および回路素子（図示せず）が形成された回路基板である。本実施形態で用いられる３枚の回路基板２０，２１，２２は、それぞれ方形状の外周形状を有する。回路基板２０を上面図で図７に示した。また、回路基板２２を裏面図で図８に示した。
【００３３】
通信手段３は、回路基板２の表面又は裏面にもうけられ、別の回路基板２との通信を行う手段である。通信手段３は、回路基板２０および２１の表面２０ａ，２１ａと、回路基板２２の表面２２ａ及び裏面２２ｂの両面にもうけられている。通信手段３は、信号入力部３０，信号出力部３１，同期信号通信部３２を有する。
【００３４】
通信手段３を構成する信号入力部３０は、通信手段３がもうけられた回路基板２に別の回路基板からの信号が入力する部位（部材）であり、信号出力部３１は別の回路基板への信号が発信される部位（部材）である。信号入力部３０は別の回路基板の信号出力部３１と接続される。また、同期信号通信部３２は、信号入力部３０と信号出力部３１を介して通信される信号を同期するための同期信号が流れる部位（部材）である。
【００３５】
通信線４は、通信手段３同士を接続し、信号を通信する部材である。通信線４は、回路基板２０の信号入力部３０と回路基板２１の信号出力部３１とを接続する通信線４０と、回路基板２０の信号出力部３１と回路基板２１の信号入力部３０とを接続する通信線４１と、同期信号通信部３２同士を接続する通信線４２と、を有する。通信線４は、通信手段３を接続し、信号を通信できる部材であれば特に限定されるものではない。本実施形態においては、ストレートタイプのフラットワイヤを用いることができる。
【００３６】
外部通信端子５は、回路基板２にもうけられた電気回路に接続され、外部の素子との通信を行うための端子である。外部の素子とは、図示されない通信線で接続される。
【００３７】
方形状の回路基板２０の表面２０ａの互いに背向する二つの辺の端縁部近傍には、通信手段３と外部通信端子５とがもうけられている。通信手段３は、回路基板２０の辺の長さの中心部に同期信号通信部３２が、同期信号通信部３２に対して対称な位置に信号入力部３０と信号出力部３１とがもうけられている。また、外部通信端子５は、回路基板２の辺の長さの中心からずれた位置にもうけられている。
【００３８】
方形状の回路基板２２の表面２２ａの互いに背向する二つの辺の端縁部近傍には、通信手段３と外部通信端子５とがもうけられている。通信手段３と外部通信端子５は、回路基板２０の時と同様に回路基板２２の表面に配置されている。方形状の回路基板２２の裏面２２ｂの互いに背向する辺であって、表面側に通信手段３と外部通信端子５のいずれもがもうけられていない辺の端縁部近傍には、通信手段３がもうけられている。
【００３９】
方形状の回路基板２１の表面２１ａの隣接する二つの辺の端縁部近傍には、通信手段３と外部通信端子５とがもうけられている。通信手段３は、回路基板２０の辺の長さの中心部に同期信号通信部３２が、同期信号通信部３２に対して対称な位置に信号入力部３０と信号出力部３１とがもうけられている。また、外部通信端子５は、回路基板２の辺の長さの中心からずれた位置にもうけられている。
【００４０】
本実施形態の回路基板ユニット１は、回路基板２０の表面２１ａと回路基板２２の表面２２ａとが小間隔を隔てた状態で対向して配置される。そして、さらに、回路基板２２の裏面２２ｂと回路基板２１の表面２１ａとが小間隔を隔てた状態で対向して配置される。このとき、回路基板２０の表面２０ａの通信手段３と回路基板２２の表面２２ａの通信手段３とが対向し、かつ回路基板２２の裏面２２ｂの通信手段３と回路基板２１の表面２１ａの通信手段３とが対向した状態で配置される。そして、対向した通信手段同士の信号入力部３０と信号出力部３１とが対向し、同期信号通信部３２同士が対向している。
【００４１】
本実施形態の回路基板ユニット１は、三枚の回路基板２０〜２２が対向して配置されたときに、外部通信端子５同士は積層した厚さ方向での位置が重なり合わないように配置されている。
【００４２】
本実施形態の回路基板ユニット１においては、回路基板２０，２１が同じ回路基板であることから、回路基板を共用化することができ、より安価に回路基板ユニットを形成できる。
【００４３】
また、本実施形態の回路基板ユニット１においては、回路基板２のそれぞれの通信手段３同士の通信を安価なストレートタイプのフラットワイヤを用いることができ、回路基板ユニット１全体のコストの上昇を抑えることができる。
【００４４】
さらに、本実施形態の回路基板ユニット１は、三枚の回路基板２０〜２２の間に外部通信端子５が位置しており、回路基板２の厚さ方向での体格が粗大化することが抑えられた構成となっている。
【００４５】
上記したように、本実施形態の回路基板ユニット１は、安価にかつ簡単に構成でき、体格の粗大化が抑えられた回路基板ユニットとなっている。
【００４６】
（第四の実施の形態）
本実施形態は、図９〜１０に示したように、２枚の回路基板２（２０，２１）と、回路基板２にもうけられた信号入力部３０，信号出力部３１，同期信号通信部３２を一体に有する通信手段３と、回路基板２にもうけられた通信手段３同士を接続する通信線４と、回路基板２にもうけられた複数の外部通信端子５と、を有している。
【００４７】
回路基板２は、その表面および／または裏面に電気回路および回路素子（図示せず）が形成された回路基板である。本実施形態で用いられる２枚の回路基板２０，２１は、同じ回路基板である。回路基板２は、短冊状の外周形状を有する。
【００４８】
通信手段３は、回路基板２の表面にもうけられ、別の回路基板２との通信を行う手段である。通信手段３は、信号入力部３０，信号出力部３１，同期信号通信部３２が一体に形成されている。
【００４９】
通信手段３を構成する信号入力部３０は、通信手段３がもうけられた回路基板２に別の回路基板からの信号が入力する部位であり、信号出力部３１は別の回路基板への信号が発信される部位である。信号入力部３０は別の回路基板の信号出力部３１と接続される。また、同期信号通信部３２は、信号入力部３０と信号出力部３１を介して通信される信号を同期するための同期信号が流れる部位である。
【００５０】
通信線４は、通信手段３同士を接続し、信号を通信する部材である。通信線４は、本実施形態においては、ストレートタイプのフラットワイヤを用いた。
【００５１】
外部通信端子５は、回路基板２にもうけられた電気回路に接続され、外部の素子との通信を行うための端子である。外部の素子とは、図示されない通信線で接続される。
【００５２】
本実施形態において、通信手段３は、短冊状の回路基板２の短辺の端縁部近傍に、外部通信端子５は、短冊状の回路基板２の一方の長辺の端縁部近傍に複数もうけられている。通信手段３は、回路基板２の短辺の長さの中心部に同期信号通信部３２が、同期信号通信部３２に対して対称な位置に信号入力部３０と信号出力部３１とがもうけられている。
【００５３】
本実施形態の回路基板ユニット１は、回路基板２０の表面と回路基板２１の表面とが小間隔を隔てた状態で対向して配置される。このとき、それぞれの回路基板２０，２１の通信手段３同士が対向した状態で配置されており、回路基板２０の信号入力部３０と回路基板２１の信号出力部３１とが対向し、回路基板２０の信号出力部３１と回路基板２１の信号入力部３０とが対向し、同期信号通信部３２同士が対向している。
【００５４】
本実施形態の回路基板ユニット１は、二枚の回路基板２０，２１が対向して配置されたときに、外部通信端子５同士は重なり合わないように配置されている。
【００５５】
本実施形態の回路基板ユニット１においては、回路基板２０，２１が同じ回路基板であることから、回路基板を共用化することができ、より安価に回路基板ユニットを形成できる。
【００５６】
また、本実施形態の回路基板ユニット１においては、回路基板２０，２１のそれぞれの通信手段３同士の通信を安価なストレートタイプのフラットワイヤを用いることができ、回路基板ユニット１全体のコストの上昇を抑えることができる。
【００５７】
さらに、本実施形態の回路基板ユニット１は、二枚の回路基板２０，２１の間に外部通信端子５が位置しており、回路基板２の厚さ方向での体格が粗大化することが抑えられた構成となっている。
【００５８】
上記したように、本実施形態の回路基板ユニット１は、安価にかつ簡単に構成でき、体格の粗大化が抑えられた回路基板ユニットとなっている。上記の各実施形態において形成された回路基板ユニット１は、高電圧電池の電圧監視ユニットに用いることができる。
【図面の簡単な説明】
【００５９】
【図１】第一実施形態の回路基板ユニットを示した斜視図である。
【図２】第一実施形態の回路基板ユニットを示した斜視図である。
【図３】第一実施形態の回路基板ユニットの回路基板を示した上面図である。
【図４】第二実施形態の回路基板ユニットを示した斜視図である。
【図５】第二実施形態の回路基板ユニットの回路基板を示した上面図である。
【図６】第三実施形態の回路基板ユニットを示した斜視図である。
【図７】第三実施形態の回路基板ユニットの回路基板を示した上面図である。
【図８】第三実施形態の回路基板ユニットの回路基板を示した裏面図である。
【図９】第四実施形態の回路基板ユニットを示した斜視図である。
【図１０】第四実施形態の回路基板ユニットの回路基板を示した上面図である。
【符号の説明】
【００６０】
１：回路基板ユニット
２，２０，２１，２２：回路基板
３：通信手段                ３０：信号入力部
３１：信号出力部            ３２：同期信号通信部
４，４０，４１，４２：通信線
５：外部通信端子
【図１】
2009117682.tif 000003
【図２】
2009117682.tif 000004
【図３】
2009117682.tif 000005
【図４】
2009117682.tif 000006
【図５】
2009117682.tif 000007
【図６】
2009117682.tif 000008
【図７】
2009117682.tif 000009
【図８】
2009117682.tif 000010
【図９】
2009117682.tif 000011
【図１０】
2009117682.tif 000012